(57)【要約】【課題】送電用鉄塔等上にて碍子装置の全部または一部分の交換ができるようにする。【解決手段】鉄塔１０に滑車３２を取付け、取込ワイヤ３１を滑車３２にかけ、取込ワイヤ３１の一端部を送電線２７に連結し、取込ワイヤ３１の他端部を下方に牽引する。つぎに、取込ワイヤ３１に吊下げられた支持具４０で碍子装置２０を支えるようにし、碍子装置２０の金具２２、２３を別のものと交換し、交換後の碍子装置２０で送電線２７を鉄塔１０に吊下げ、支持具４０および取込ワイヤ３１を取外す。支持具４０は、互いに平行に配置された支持部４１、４２、支持部４１、４２間を折り曲げ可能に連結する連結部および支持具４０を取込ワイヤ３１に吊下げることができる吊下げ部４４を備えている。【選択図】        図２
2004171946.tif 000002
【特許請求の範囲】
【請求項１】
送電線の支持物に送電線を吊下げるのに使用されている碍子装置の全部または一部分を交換する方法であって、
索により前記送電線を前記送電線の支持物に吊下げ、
つぎに、前記索に吊下げられた支持具で前記碍子装置を支えるようにし、
つぎに、前記碍子装置の全部または一部分を別のものと交換し、
つぎに、前記交換後の碍子装置で前記送電線を前記送電線の支持物に吊下げ、
つぎに、前記支持具および索を取外すことを特徴とする碍子装置の全部または一部分の交換方法。
【請求項２】
請求項１記載の碍子装置の全部または一部分の交換方法であって、
前記索により前記送電線を前記送電線の支持物に吊下げることは、前記送電線の支持物に少なくとも１つの滑車を取付け、前記索を前記滑車にかけ、前記索の一端部を前記送電線に連結し、前記索の他端部を下方に牽引することによって行われることを特徴とする碍子装置の全部または一部分の交換方法。
【請求項３】
請求項１記載の碍子装置の全部または一部分の交換方法に使用する支持具において、
前記碍子装置が複数の連を有する場合に使用される支持具であって、
互いに平行に配置された複数の支持部、前記複数の支持部間を折り曲げ可能に連結する連結部および前記複数の支持部を前記索に吊下げることができる吊下げ部を備え、
前記複数の支持部のそれぞれは、前記碍子装置の各連部分を支えることができることを特徴とする支持具。
【発明の詳細な説明】
【０００１】
【発明の属する技術分野】
本発明は、送電用鉄塔等の送電線の支持物に設置された碍子装置の全部または一部分の交換方法に関し、特に碍子装置の全部または一部分の交換を前記送電線の支持物上で行うことができるようにする碍子装置の全部または一部分の交換方法およびこの交換方法に使用する支持具に関するものである。
【０００２】
【従来の技術】
従来、送電用の鉄塔にて、送電線（電力線）と鉄塔とを電気的に絶縁しつつ、送電線を鉄塔に吊下げるために、碍子装置が使用されている。この碍子装置は碍子本体および碍子本体の両端に連結された金具を備えている。前記金具は、碍子本体に比べて耐久性が低いので、前記金具が腐食等により劣化した場合にこれを新しい金具と交換する作業が必要となる。さらに、碍子装置全体が劣化した場合には、碍子装置全体を取り替える必要がある。
このように、鉄塔にて送電線を架線するのに使用されている碍子装置の全体または金具を交換するときには、鉄塔上にて碍子装置の全体または金具を交換することができないので、送電線を停電し、送電線と碍子装置を分離して碍子装置を鉄塔から地上に降ろし、劣化している碍子装置の全体または金具を劣化していないものと交換する必要があった。
また、碍子装置の碍子本体の両端を支える金具間に伸縮可能なロッドを取付けることにより碍子装置のうち碍子本体のみを鉄塔上で交換する方法が提案されている（例えば、特許文献１）。
【０００３】
【特許文献１】
特開２０００−５９９３６の公報（第３−４頁、第１−３図）
【０００４】
【発明が解決しようとする課題】
しかし、上述の従来例のように碍子装置を地上に降ろして交換する方法では、鉄塔上に滑車を付設し、この滑車にかけた上げ下げワイヤにより碍子装置を吊るして上げ下げする際に、屈曲部が多い碍子装置の破損を防ぐために、碍子装置を毛布等で包んで養生する必要があった。また、碍子装置の養生のために碍子装置を包む毛布等をロープで固縛する作業は、作業者の熟練が必要であった。
また、送電用鉄塔にて送電線を架線するのに使用されている碍子装置を地上に降ろす前に、送電線および鉄塔から分離するために、取込みワイヤにより送電線を鉄塔に吊るすと、送電線と鉄塔との間に連結されている碍子装置に弛みが発生するので、碍子装置の金具の連結部分に遊びがないと、送電線を前記金具に連結するクランプと前記金具との間に異常な力が加わるため、前記金具をクランプから分離することが困難になることがあった。
このため、送電線に使用されている碍子装置を高い鉄塔から地上に降ろして、碍子装置の全部またはその金具を取り替えて、再度碍子装置を鉄塔にて送電線を架線するのに使用するようにする作業は、煩雑で時間がかかる作業であった。
また、上記特許文献１による装置は、碍子本体のみを鉄塔上で交換するのに適したものではあるが、本発明が目的とする碍子装置の全体または金具を交換するためには利用できない装置であった。
そこで、本発明が解決しようとする課題は、送電線用鉄塔等上にて碍子装置の全部またはその金具等の交換を可能にする碍子装置の全部または一部分の交換方法およびこの交換方法に使用する補助具を提供することである。
【０００５】
【課題を解決するための手段】
上記課題を解決するため、請求項１記載の発明は、送電線の支持物（例えば鉄塔）に送電線を吊下げるのに使用されている碍子装置の全部または一部分（例えば劣化した金具）を交換する方法であって、索（例えばワイヤロープ）により前記送電線を前記送電線の支持物に吊下げ、つぎに、前記索に吊下げられた支持具で前記碍子装置を支えるようにし、つぎに、前記碍子装置の全部または一部分を別のもの（例えば劣化していない金具）と交換し、つぎに、前記交換後の碍子装置で前記送電線を前記送電線の支持物に吊下げ、つぎに、前記支持具および索を取外すことを特徴とする碍子装置の全部または一部分の交換方法である。
これにより、前記送電線を前記索により前記送電線の支持物に吊下げ、前記索により吊下げられた支持具で前記碍子装置を支えるようにすると、前記碍子装置が弛むことを防ぐことができるので、前記送電線と前記碍子装置との連結部分に異常な力が加わることを防ぐことができる。このため、前記碍子装置から前記送電線を外し、前記碍子装置の全部または一部分を交換することが容易になる。
最後に、前記交換した碍子装置で前記送電線を前記送電線の支持物に吊下げ、用済みになった前記索および支持具を取り外して工事を終了する。
【０００６】
さらに、請求項２記載の発明は、請求項１記載の碍子装置の全部または一部分の交換方法であって、前記索により前記送電線を前記送電線の支持物に吊下げることは、前記送電線の支持物に少なくとも１つの滑車を取付け、前記索を前記滑車にかけ、前記索の一端部を前記送電線に連結し、前記索の他端部を下方に牽引することによって行われることである。
これにより、前記送電線の支持物に取付けた滑車にかけた索の他端部を図示しない地上に設置したウインチ等により下方に牽引することにより、前記送電線を容易に前記送電線の支持物に吊下げることができる。
【０００７】
さらに、請求項３記載の発明は、請求項１記載の碍子装置の全部または一部分の交換方法に使用する支持具において、前記碍子装置が複数の連を有する場合に使用される支持具であって、互いに平行に配置された複数の支持部、前記複数の支持部間を折り曲げ可能に連結する連結部および前記複数の支持部を前記索に吊下げることができる吊下げ部を備え、前記複数の支持部のそれぞれは、前記碍子装置の各連部分を支えることができることを特徴とする支持具である。
これにより、請求項１記載の碍子装置の全部または一部分の交換方法において、前記吊下げ部により前記互いに平行に配置された複数の支持部を前記索に吊下げた状態で、前記碍子装置の複数の連は互いに平行に配置されているので、前記互いに平行に配置された複数の支持部により前記碍子装置の各連を支えることができるとともに、支持具を前記碍子装置の全部または一部分の交換方法に使用しないときには、前記複数の支持部を前記連結部で折り畳むことができる。
【０００８】
【発明の実施の形態】
以下、本発明における実施の形態を図面に基づいて説明する。図１は、鉄塔に送電線を吊下げる碍子装置の金具を交換する方法の概略を示し、図２は、図１の碍子装置近傍の詳細を示し、図３は、図２の碍子装置からその金具を取り外した状態を示している。
【０００９】
図１において、請求項における「送電線の支持物」の一例となる鉄塔１０のアーム１１に碍子装置２０を介して例えば７７ｋｖ以下の送電線２７が吊下げられている。碍子装置２０は、懸垂碍子、長幹碍子等の２連の碍子本体２１ａ、２１ｂおよびこの碍子本体２１ａ、２１ｂの両端部を連結する金具２２、２３を備えている。なお、作業用の梯子３３は、その基部が鉄塔１０のアーム１１に取付けられ、その先端部が吊下げ具３４により取込ワイヤ３１に吊下げられて、碍子装置２０の近傍に配置されている。
【００１０】
図２において、金具２２は、碍子装置２０の一端部を鉄塔１０のアーム１１の架線プレート１２に連結するものであり、金具２３は碍子装置２０の他端部をクランプ２６を介して送電線２７に連結するためのものである。なお、金具２２、２３の一部分として、アークホーン２４ａ、２４ｂはそれぞれ設けられている。この場合、碍子装置２０の金具２２、２３は、腐食等により劣化しているので、これを新しいものと交換する方法を示している。
【００１１】
まず、送電線２７を停電し、碍子装置２０により吊下げられた送電線２７のうち碍子装置２０の近傍の部位と鉄塔１０とに、請求項の「索」の一例となる取込ワイヤ３１を掛けわたすことにより、送電線２７を鉄塔１０に吊下げる。
このために例えば、少なくとも１つの滑車３２が鉄塔１０に取付けられ、さらに送電線２７のうち碍子装置２０の近傍の部位に滑車３２が取付けられ、これらの滑車３２に順次かけられた取込ワイヤ３１の一端部（先端部）は鉄塔１０の架線プレート１２に連結される。これにより、取込ワイヤ３１の一端部（先端部）は、実質的に送電線２７のうち碍子装置２０の近傍の部位に掛けわたされ、一方取込ワイヤ３１の他端部（基部）は図示しない地上に設置されたウインチにより巻取られることにより下方に牽引される。なお、上述のように、送電線２７のうち碍子装置２０の近傍の部位に滑車３２が取付けられ、この滑車３２にかけられた取込ワイヤ３１の一端部（先端部）が鉄塔１０の架線プレート１２に連結されることにより、前記ウインチにより牽引する力の２倍の大きさの力で送電線２７を吊下げることができる。これにより、取込ワイヤ３１によって送電線２７を鉄塔１０に吊下げることができる。
【００１２】
つぎに、支持具４０をその複数の吊下げ部４４により取込ワイヤ３１に吊下げ、支持具４０により碍子装置２０を下から支えるようにする。これにより、上述のように取込ワイヤ３１により送電線２７を吊下げて、送電線２７の自重による張力が碍子装置２０に加わらないようにしたときに、碍子装置２０の弛みの発生を防ぐことができる。このため、前記弛みの発生によりクランプ２６と金具２３との連結部分に異常な力が加わることを防ぐことができるので、クランプ２６と金具２３を結合する図示しないボルト等を容易に取外すことができる。
つぎに、劣化した金具２２、２３を碍子装置２０から取り外し（図３参照）、劣化していない金具２２、２３と交換する。
【００１３】
つぎに、金具２２、２３を交換した後の碍子装置２０を使用して送電線２７を鉄塔１０のアーム１１の架線プレート１２に吊下げる。
つぎに、取込ワイヤ３１、滑車３２および支持具４０を取り外して、碍子装置２０の金具２２、２３の交換工事を終了する。
以上により、上述した従来例における碍子装置の金具を交換する方法と比較して、熟練を要せず容易に短時間で鉄塔１０上にて全ての金具２２、２３の交換をすることができる。例えば、碍子装置２０の金具２２、２３の交換に要する時間は、上述の従来例では１００分要していたのが３０分に短縮された。
【００１４】
図４は、支持具４０の全体を示し、図５は支持具４０を折り畳んだ状態を示し、図６は支持具４０の側面を示す。
図４において、支持具４０は、互いに平行に配置された第１支持部４１および第２支持部４２、第１支持部４１と第２支持部４２との間を折り曲げ可能に連結する連結部４３および第１支持部４１と第２支持部４２を取込ワイヤ３１に吊下げることができる吊下げ部４４を備えている。
【００１５】
第１支持部４１は、互いに平行に位置された複数（例えば３本）のパイプ４１ａ、各パイプ４１ａの各端部に連結された一対のベースプレート４１ｂ、４１ｃおよび各パイプ４１ａの中間部に連結されたベースプレート４１ｄを備えている。各パイプ４１ａは各ブッシュ４１ｅにより各ベースプレート４１ｂ、４１ｃ、４１ｄに固定されている。なお、各パイプ４１ａのうち中央のパイプ４１ａは両端のパイプ４１ａより低い位置に位置されている。これにより、第１および第２支持部４１、４２はそれぞれ碍子装置２０の各連部分（碍子本体２１ａ、２１ｂ）を確実に保持することができる。
第２支持部４２の構造は、連結部４３に関して第１支持部４１と対称となる構造である。
【００１６】
連結部４３は、中心軸４３ａ、中心軸４３ａの両端部に固定され、互いに対向している一対の板部材４３ｂ、４３ｃおよび板部材４３ｂ、４３ｃに付設されているストッパ４３ｄ、４３ｅを備えている。
一対の板部材４３ｂ、４３ｃは、第１支持部４１および第２支持部４２の両側部となるベースプレート（４１ｂ、４１ｃ等）の端部を中心軸４３ｖ、４３ｗ（図６参照）にて回動自在に支持している。ストッパ４３ｄ、４３ｅは、ヒンジ等により折り曲げ可能に一対の板部材４３ｂ、４３ｃの上部に立設されており、ストッパ４３ｄ、４３ｅをベースプレート４１ｄ側に折り曲げると、ストッパ４３ｄ、４３ｅが各支持部４１、４２のベースプレート（４１ｂ、４１ｃ等）の端部に当接し、支持部４１、４２が連結部４３により図６に二点鎖線で示すように折れ曲ることを防ぐので、第１支持部４１と第２支持部４２を広げた状態に保持することができる。なお、第１支持部４１と第２支持部４２を広げた状態にしたときは、第１支持部４１と第２支持部４２のベースプレート（４１ｂ、４１ｃ等）の端部同士が図６に実線で示すように当接するので、その状態で保持される。
【００１７】
複数の吊下げ部４４は、パイプ４１ａに連結されたバンド４４ａおよびバンド４４ａの先端部に取付けられたフック４４ｂを備えている。
【００１８】
以上の構成により、広げた状態の第１支持部４１および第２支持部４２は、２連の碍子装置２０の各連部分（碍子本体２１ａ、２１ｂ）を支えることができる。また、使用しないときは、ストッパ４３ｄ、４３ｅを直立させて（図４の二点鎖線で示すストッパ４３ｄ参照）連結部４３により支持具４０を折り畳むことができる（図５、図６参照）。支持具４０を折り畳んだときは、吊下げ部４４により支持具４０を固縛することができる（図５参照）。
【００１９】
なお、上記実施の形態では、碍子装置の金具を交換する場合を示しているが、これに限らず、碍子装置の他の一部分を交換することもできる。さらに、碍子装置全体の交換も可能である。
また、支持具は、２つの支持部を備えているが、これに限らず、碍子装置の連の数に等しい数の支持部を備えるようにしてもよい。
【００２０】
【発明の効果】
請求項１記載の発明によれば、碍子装置の全部または一部分を送電線の支持物上で別のものと交換することができる。
さらに、請求項２記載の発明によれば、請求項１記載の発明の効果とともに、請求項１記載の発明に係わる碍子装置の全部または一部分の交換方法を容易に実行できる。
さらに、請求項３記載の発明に係わる支持具を使用すれば、請求項１記載の発明の碍子装置の全部または一部分の交換方法を容易に行うことができ、さらに、この支持具を使用しないときは、この支持具を折り畳むことができる。
【図面の簡単な説明】
【図１】鉄塔に送電線を架線する碍子装置の金具を交換する方法の概略を示す斜視図である。
【図２】図１の碍子装置近傍の詳細を示す斜視図である。
【図３】図２の碍子装置からその金具を取り外した状態を示す斜視図である。
【図４】碍子装置の支持具の全体を示す斜視図である。
【図５】図４の支持具を折り畳んだ状態を示す斜視図である。
【図６】図４の支持具の側面図である。
【符号の説明】
１０  鉄塔（送電線の支持物）
２０  碍子装置
２１ａ、２１ｂ  碍子本体
２２、２３  金具
２７  送電線
３１  取込ワイヤ（索）
４０  支持具
４１  第１支持部
４２  第２支持部
４３  連結部
４４  吊下げ部
【図１】
2004171946.tif 000003
【図２】
2004171946.tif 000004
【図３】
2004171946.tif 000005
【図４】
2004171946.tif 000006
【図５】
2004171946.tif 000007
【図６】
2004171946.tif 000008